(57)【要約】      （修正有）【課題】逆転防止機構によりガスの不正使用を防止しつつ、逆転防止機構を一時的に解除可能なガスメータを提供する。【解決手段】ガスメータは、計量室を有する筐体と、計量室に配置された可動膜と、可動膜の変位に応じて回転する計測用ギアＧと、を備え、設置状態において、計測用ギアＧの正転に伴って回転し、計測用ギアＧに当接して計測用ギアＧの逆転を規制するフック２０と、フック２０に当接可能なブリッジ１４とを備える。設置状態からガスメータを傾斜させた傾斜状態において、フック２０は、計測用ギアＧから離間し、突出部２３がブリッジ１４の角部１４ｂに当接する。【選択図】図６
0003229889.tif 000002
【実用新案登録請求の範囲】
【請求項１】
計量室を有する筐体と、
前記計量室に配置された可動膜と、
前記可動膜の変位に応じて回転する計測用ギアと、
当該ガスメータの設置状態において、前記計測用ギアの正転に伴って回転し、前記計測用ギアに当接して前記計測用ギアの逆転を規制する逆転規制部材と、
前記逆転規制部材に当接可能な当接部材と、を備え、
前記設置状態から当該ガスメータを傾斜させた傾斜状態において、前記逆転規制部材は、前記計測用ギアから離間し、前記当接部材に当接する、ガスメータ。
【請求項２】
前記計測用ギアは、回転軸と、前記回転軸の周りを前記回転軸とともに回転する突起と、を有し、
前記逆転規制部材は、一端部が前記計測用ギアに当接可能であり、他端部に、前記計測用ギアの回転軸の方向に延在する回転軸を有した、棒状の本体部を有する、請求項１に記載のガスメータ。
【請求項３】
前記計測用ギア及び前記逆転規制部材が取り付けられるブロックと、
前記ブロックを支持する支持部と、を備え、
前記設置状態において、前記逆転規制部材は、
前記計測用ギアの正転に伴って、前記一端部が前記突起に押し上げられて回転し、
前記計測用ギアの逆転によって、前記突起が前記逆転規制部材の一部を前記支持部に押し付けることで前記計測用ギアの逆転を規制する、請求項２に記載のガスメータ。
【請求項４】
前記逆転規制部材は、前記本体部の前記他端部から突出した突出部を有し、
前記当接部材は、前記支持部の一部であり、
前記傾斜状態において、前記突出部が前記支持部の一部に当接する、請求項３に記載のガスメータ。
【請求項５】
前記計測用ギアの回転に応じた数を表示するカウンターを備える、請求項１〜４のいずれか一項に記載のガスメータ。
【考案の詳細な説明】
【技術分野】
【０００１】
本考案は、ガスメータに関する。
【背景技術】
【０００２】
膜式ガスメータは、計量室内に配置された可動膜の往復運動を回転運動に換え、ギアを介して機械式カウンダ―に伝達して、計量室を通過するガスの流量を計測する。膜式ガスメータにおいてギア等の機構部は正転及び逆転の双方に回転可能であり、ガスの入出口が逆向きとなるようにガスメータを設置しても、ガスの使用が可能である。機構部が逆回転（逆転）すると、機械式カウンターも逆回転して、マイナス計量してしまい、正確な計量ができない。このようなガスの不正使用を防ぐために逆転防止機構が提案されている（例えば、特許文献１、２参照。）。
【先行技術文献】
【特許文献】
【０００３】
【特許文献１】特開平７−２７５８３号公報
【特許文献２】特開２０１０−１５６６４８号公報
【考案の概要】
【考案が解決しようとする課題】
【０００４】
ところで、ガスメータの生産工程（再生産工程）において、カウンターを逆回転させるカウンター戻し作業が必要である。しかしながら、ガスメータに、例えば上記特許文献１、２に記載された逆転防止機構を設けた場合、カウンターを逆回転させられず、カウンター戻し作業に支障をきたす。
【０００５】
本考案は、上述した事情に鑑みてなされたものであり、その目的は、逆転防止機構によりガスの不正使用を防止しつつ、逆転防止機構を一時的に解除可能なガスメータを提供することにある。
【課題を解決するための手段】
【０００６】
前述した目的を達成するために、本考案に係るガスメータは、下記（１）〜（５）を特徴としている。
（１）計量室を有する筐体と、
前記計量室に配置された可動膜と、
前記可動膜の変位に応じて回転する計測用ギアと、
当該ガスメータの設置状態において、前記計測用ギアの正転に伴って回転し、前記計測用ギアに当接して前記計測用ギアの逆転を規制する逆転規制部材と、
前記逆転規制部材に当接可能な当接部材と、を備え、
前記設置状態から当該ガスメータを傾斜させた傾斜状態において、前記逆転規制部材は、前記計測用ギアから離間し、前記当接部材に当接する、ガスメータ。
（２）前記計測用ギアは、回転軸と、前記回転軸の周りを前記回転軸とともに回転する突起と、を有し、
前記逆転規制部材は、一端部が前記計測用ギアに当接可能であり、他端部に、前記計測用ギアの回転軸の方向に延在する回転軸を有した、棒状の本体部を有する、上記（１）に記載のガスメータ。
（３）前記計測用ギア及び前記逆転規制部材が取り付けられるブロックと、
前記ブロックを支持する支持部と、を備え、
前記設置状態において、前記逆転規制部材は、
前記計測用ギアの正転に伴って、前記一端部が前記突起に押し上げられて回転し、
前記計測用ギアの逆転によって、前記突起が前記逆転規制部材の一部を前記支持部に押し付けることで前記計測用ギアの逆転を規制する、上記（２）に記載のガスメータ。
（４）前記逆転規制部材は、前記本体部の前記他端部から突出した突出部を有し、
前記当接部材は、前記支持部の一部であり、
前記傾斜状態において、前記突出部が前記支持部の一部に当接する、上記（３）に記載のガスメータ。
（５）前記計測用ギアの回転に応じた数を表示するカウンターを備える、上記（１）〜（４）のいずれか一に記載のガスメータ。
【０００７】
上記（１）の構成のガスメータによれば、設置状態においては、逆転規制部材が計測用ギアの逆転を規制することで、計測用ギアの逆転を防止できる。一方、傾斜状態においては、逆転規制部材が計測用ギアに当接しないため、計測用ギアの逆転が規制されない。また、傾斜状態において逆転規制部材が当接部材に当接して逆転規制部材の回転が抑制されるため、ガスメータを設置状態に戻した場合には逆転規制部材を元の位置に復帰させて逆転防止が可能となる。このように、ガスメータを傾斜させることによる逆転防止機構の一時的な解除が可能となる。したがって、上記ガスメータによれば、逆転防止機構によりガスの不正使用を防止しつつ、逆転防止機構を一時的に解除可能となる。
【０００８】
上記（２）の構成のガスメータによれば、計測用ギアの回転軸と逆転規制部材の回転軸とが同じ方向に延在するため、計測用ギアの逆転時に、逆転規制部材の円周方向（回転方向）に力が掛かり、回転軸に掛かる負荷が小さくなる。
【０００９】
上記（３）の構成のガスメータによれば、簡易な構成で計測用ギアの逆転を防止できる。
【００１０】
上記（４）の構成のガスメータによれば、支持部の一部を当接部材として用いることができるので、新たな部材を追加する必要がないので、コスト増加を防止できる。
【００１１】
上記（５）の構成のガスメータによれば、ガスメータの生産工程におけるカウンターの戻し作業時にはガスメータを傾斜状態とすることで逆転防止機構を解除して、計測用ギアを逆回転させることができる。このため、生産工程において支障をきたすことなく、ガス流出入口を逆向きにしてガスメータが設置されることを防止できる。
【考案の効果】
【００１２】
本考案によれば、逆転防止機構によりガスの不正使用を防止しつつ、逆転防止機構を一時的に解除可能なガスメータを提供できる。
【００１３】
以上、本考案について簡潔に説明した。更に、以下に説明される考案を実施するための形態（以下、「実施形態」という。）を添付の図面を参照して通読することにより、本考案の詳細は更に明確化されるであろう。
【図面の簡単な説明】
【００１４】
【図１】図１は、本考案の実施形態に係る膜式ガスメータの外観斜視図である。
【図２】図２は、図１の膜式ガスメータの上ケースとカバーとを外した状態を示す概略斜視図である。
【図３】図３は、図２の要部を模式的に示す側面図であり、フックが通常位置にある状態を示す。
【図４】図４は、図２の要部を模式的に示す側面図であり、計測用ギアが正転した状態を示す。
【図５】図５は、図２の要部を模式的に示す側面図であり、計測用ギアが逆転した状態を示す。
【図６】図６は、図２の要部を模式的に示す側面図であり、膜式ガスメータが傾斜した状態を示す。
【考案を実施するための形態】
【００１５】
本考案に関する具体的な実施形態について、各図を参照しながら以下に説明する。各図に示す上下方向、左右方向及び前後方向は、膜式ガスメータ１の設置状態（水平状態）における上下方向（鉛直方向）、左右方向（幅方向）、及び前後方向をそれぞれ示す。
【００１６】
図１は、本考案の実施形態に係る膜式ガスメータ１の外観斜視図である。図２は、図１の膜式ガスメータ１の上ケース２とカバー７とを外した状態を示す概略斜視図である。膜式ガスメータ１は、上ケース２と、下ケース３（筐体）とを備える。上ケース２には、計量値を表示するカウンター４と、ガス供給側に接続されるガス流入口５と、消費側に接続されるガス流出口６とが設けられる。下ケース３は、ガス流入口５から流入しガス流出口６から流出するガスを計量するための計量室を有する。上ケース２と下ケース３とは、下ケース３の上部に設けられた取付部８と、上ケース２の下部に設けられた取付部９とがねじ止めされることにより一体化される。
【００１７】
下ケース３は、内部に隔壁を有するフレーム１０と、フレーム１０の前後にそれぞれ取り付けられるカバー７とを有し、フレーム１０及び前後のカバー７によって一対の計量室が画成される。各計量室には、金属円板１１で中心部の両面が挟持された円板状の弾性部材１２である可動膜１３が配置され、弾性部材１２の外周は計量室内に気密に固定されている。可動膜１３は、ガスの供給排気によって、計量室内において、前後方向に往復運動する。
【００１８】
下ケース３の上端、すなわち計量室の上部、に配置される取付部８は、中央に開口部８ａを有する板状部材であり、開口部８ａの中央に、椀状の滑弁Ｖが配置される。滑弁Ｖは、可動膜１３の変位により上下方向を軸として回転し、可動膜１３によって仕切られた各計量室に対してガスの供給排気を行う。
【００１９】
取付部８には、滑弁Ｖの上方を通過するように、開口部８ａの前後に架け渡されたブリッジ１４が設けられる。ブリッジ１４は、左右方向に視て略Ｕ字状を有し、上面１４ａにブロック１５を有する。すなわち、ブリッジ１４は、ブロック１５を支持する。ブロック１５には、可動膜１３の変位に応じて回転する計測用ギアＧが取り付けられる。
【００２０】
膜式ガスメータ１は、滑弁Ｖの回転が計測用ギアＧを介してカウンター４に伝達されることにより、ガスを計量し、計量値をカウンター４に表示する。また、膜式ガスメータ１は、計測用ギアＧの正転を許容し逆転を規制する樹脂製のフック２０（逆転規制部材）が、ブロック１５に取り付けられる。フック２０により、計測用ギアＧの逆転が防止されるので、膜式ガスメータ１を、ガスの供給側をガス流出口６に接続し、消費側をガス流入口５に接続するように設置した場合には、計測用ギアＧが回転（逆転）せず、ガスが不正に使用されることを防止できる。
【００２１】
図３〜図６を参照して、計測用ギアＧ及びフック２０の詳細について説明する。図３〜図６は、図２の要部を模式的に示す側面図であり、図３はフック２０が通常位置にある状態、図４は計測用ギアＧが正転した状態、図５は計測用ギアＧが逆転した状態、図６は膜式ガスメータ１が傾斜した状態をそれぞれ示す。図３〜図５は、膜式ガスメータ１の設置状態を示し、図６は膜式ガスメータ１の傾斜状態を示す。
【００２２】
計測用ギアＧは、図示しないギア部と、ギア部の回転軸１６ａと、ブロック１５の前壁１５ａに沿って配置され、回転軸１６ａとともに回転する回転板１６と、回転板１６から前方に突出した円柱状の突起１７と、を有する。ギア部は、前壁１５ａを挟んで回転板１６の後方に配置される。回転軸１６ａは、前壁１５ａの貫通孔を通って回転板１６の後方側に延びる。回転板１６は、二つの円弧形状を二本の接線で接続した略卵型のプレートである。回転板１６において、回転軸１６ａが設けられる側の円弧は、突起１７が設けられる側の円弧よりも半径が大きい。回転軸１６ａは前後方向に延び、可動膜１３の変位によりギア部が回転されることで、回転板１６及び突起１７を回転させる。すなわち、突起１７は、回転軸１６ａの周りを回転軸１６ａとともに回転する。尚、図３〜図６において、突起１７の回転（移動）可能な範囲を破線で示す。突起１７の回転が、図示しないギア群を介してカウンター４の文字車に伝達されて、カウンター４に計量値が表示される。
【００２３】
フック２０は、膜式ガスメータ１の設置状態において、計測用ギアＧの正転に伴って回転し、計測用ギアＧに当接して計測用ギアＧの逆転を規制する。フック２０は、棒状のフック本体２１（本体部）を有する。フック本体２１は、一端部２１ａが計測用ギアＧの突起１７に当接可能であり、他端部２１ｂに、計測用ギアＧの回転軸１６ａの方向（前後方向）に延在する回転軸２１Ｒを有する。回転軸２１Ｒは、ブロック１５の前壁１５ａに回転自在に取り付けられる。回転軸２１Ｒが計測用ギアＧの回転軸１６ａと同じ方向に延在するため、計測用ギアＧの逆転時に、フック２０の円周方向（回転方向）に力が掛かり、回転軸２１Ｒに掛かる負荷が小さくなる。
【００２４】
フック本体２１は、略直方体形状を有し、図３に示すように、左右方向の中央よりも一端部２１ａ側において、下方側にテーパ面２１ｃが形成された先細形状とされる。フック２０は、フック本体２１の下面におけるテーパ面２１ｃに隣接する位置に、下方に突出した矩形状の凸部２２を有する。また、フック２０は、他端部２１ｂから、フック本体２１の延在方向に突出した矩形状の突出部２３を有する。突出部２３は、図３に示すように、フック本体２１よりも上下方向のサイズが小さくされる。
【００２５】
フック２０は、図３に示すように通常位置にある場合、自重により、凸部２２がブリッジ１４の上面１４ａに当接する。
【００２６】
膜式ガスメータ１が正しく設置された設置状態において、計測用ギアＧが正転方向Ｒａに回転（正転）すると、フック２０は、図４に示すように、計測用ギアＧの正転に伴って、突起１７が一端部２１ａのテーパ面２１ｃに摺接してフック２０を押し上げる。計測用ギアＧがさらに正転し、突起１７がフック２０（テーパ面２１ｃ）と離間する（突起１７が通り過ぎる）と、フック２０の一端部２１ａは自重で元の位置（図３に示す通常位置）に戻る。尚、図４において、正転開始前の回転板１６及び突起１７を破線で示す。
【００２７】
一方、膜式ガスメータ１が、ガス流入口５及びガス流出口６が逆に接続されて、設置された場合、図５に示すように、計測用ギアＧは逆転方向Ｒｂへ回転（逆転）しようとする。図５において、逆転開始前の回転板１６及び突起１７を破線で示す。計測用ギアＧが逆転すると、突起１７がフック２０（一端部２１ａ）の上面２１ｄに当接して、凸部２２をブリッジ１４（支持部）の上面１４ａに押し付ける。このように、フック２０が計測用ギアＧの逆転を規制し、逆転を防止する逆転防止機構として機能するので、ガスの不正使用を防止できる。
【００２８】
次に、逆転防止機構の解除について説明する。
膜式ガスメータ１の生産（再生産）工程において、カウンター４の数値をゼロにリセットするカウンター戻し作業が行われる。カウンター戻し作業の際、作業者は、膜式ガスメータ１を設置状態から、図６に示すように、フック２０の位置（右側）を下げて計測用ギアＧの位置（左側）を上げるように傾斜させる。この傾斜状態において、一端部２１ａが、計測用ギアＧから離間し、突起１７の移動可能範囲（図６において破線で示す円）の外部に位置するように、フック２０が傾斜している。傾斜状態において、フック２０（一端部２１ａ）が計測用ギアＧ（突起１７）に接触せず、計測用ギアＧの回転が規制されないため、計測用ギアＧは自在に正転及び逆転が可能である。
【００２９】
また、傾斜状態において、突出部２３がブリッジ１４の角部１４ｂ（当接部材）に当接する。突出部２３が角部１４ｂに当接することで、フック２０の回転が抑制されるので、膜式ガスメータ１を設置状態（水平状態）に戻した場合にフック２０が自重により元の位置（図３に示す通常位置）に戻る。
【００３０】
このように、膜式ガスメータ１を傾斜させることで計測用ギアＧの逆転防止機構を一時的に解除し、膜式ガスメータ１を設置状態（水平状態）に戻すことで、フック２０を元の位置に戻して逆転防止機構を復旧できる。膜式ガスメータ１が設置され使用される場合には、膜式ガスメータ１は設置状態に固定され、傾けることができないため、逆転防止機構を解除できない。
【００３１】
以上説明したように、本実施形態の膜式ガスメータ１によれば、設置状態においては、フック２０が計測用ギアＧの逆転を規制することで、逆転を防止できる。一方、傾斜状態においては、フック２０が計測用ギアＧに当接しないため、計測用ギアＧの逆転が規制されない。また、傾斜状態においてフック２０がブリッジ１４の角部１４ｂに当接して回転が抑制されるため、膜式ガスメータ１を設置状態に戻した場合にはフック２０を元の位置に復帰させて計測用ギアＧの逆転防止が可能となる。このように、膜式ガスメータ１を傾斜させることによる計測用ギアＧの逆転防止機構の一時的な解除が可能となる。
【００３２】
したがって、膜式ガスメータ１の生産（再生産）工程におけるカウンター４の戻し作業時には膜式ガスメータ１を傾斜状態とすることで逆転防止機構を解除して、計測用ギアＧを逆転させることができる。このため、生産工程において支障をきたすことなく、ガス流入口５及びガス流出口６を逆向きに膜式ガスメータ１が設置されて（ガス流入口５が消費側、ガス流出口６が供給側に接続されて）ガスが不正使用されることを防止できる。
【００３３】
また、フック２０は、小さな樹脂部品であるため、計測用ギアＧの正転時、すなわち突起１７がフック２０の一端部２１ａを持ち上げる際に、計測用ギアＧに係る負荷が少ない。このため、低流量時の計測においても影響が極めて小さく、性能への影響はほとんどない。
【００３４】
ここで、上述した本考案の実施形態に係るガスメータの特徴をそれぞれ以下［１］〜［５］に簡潔に纏めて列記する。
［１］計量室を有する筐体（下ケース３）と、
前記計量室に配置された可動膜（１３）と、
前記可動膜の変位に応じて回転する計測用ギア（Ｇ）と、
当該ガスメータの設置状態において、前記計測用ギアの正転に伴って回転し、前記計測用ギアに当接して前記計測用ギアの逆転を規制する逆転規制部材（フック２０）と、
前記逆転規制部材に当接可能な当接部材（ブリッジ１４）と、を備え、
前記設置状態から当該ガスメータを傾斜させた傾斜状態において、前記逆転規制部材は、前記計測用ギアから離間し、前記当接部材に当接する、ガスメータ（１）。
［２］前記計測用ギアは、回転軸（１６ａ）と、前記回転軸の周りを前記回転軸とともに回転する突起（１７）と、を有し、
前記逆転規制部材は、一端部（２１ａ）が前記計測用ギアに当接可能であり、他端部（２１ｂ）に、前記計測用ギアの回転軸の方向に延在する回転軸（２１Ｒ）を有した、棒状の本体部（フック本体２１）を有する、上記［１］に記載のガスメータ。
［３］前記計測用ギア及び前記逆転規制部材が取り付けられるブロック（１５）と、
前記ブロックを支持する支持部（ブリッジ１４）と、を備え、
前記設置状態において、前記逆転規制部材は、
前記計測用ギアの正転に伴って、前記一端部（２１ａ）が前記突起に押し上げられて回転し、
前記計測用ギアの逆転によって、前記突起が前記逆転規制部材の一部（凸部２２）を前記支持部に押し付けることで前記計測用ギアの逆転を規制する、上記［２］に記載のガスメータ。
［４］前記逆転規制部材は、前記本体部の前記他端部から突出した突出部（２３）を有し、
前記当接部材は、前記支持部の一部（角部１４ｂ）であり、
前記傾斜状態において、前記突出部が前記支持部の一部に当接する、上記［３］に記載のガスメータ。
［５］前記計測用ギアの回転に応じた数を表示するカウンター（４）を備える、上記［１］〜［４］のいずれか一に記載のガスメータ。
【符号の説明】
【００３５】
１  膜式ガスメータ
２  上ケース
３  下ケース
４  カウンター
５  ガス流入口
６  ガス流出口
７  カバー
８、９  取付部
８ａ  開口部
１３  可動膜
１４  ブリッジ
１４ａ  上面
１４ｂ  角部
１５  ブロック
１５ａ  前壁
１６  回転板
１６ａ  回転軸
１７  突起
２０  フック
２１  フック本体
２１Ｒ  回転軸
２２  凸部
２３  突出部
Ｇ  計測用ギア
Ｖ  滑弁
【図１】
0003229889.tif 000003
【図２】
0003229889.tif 000004
【図３】
0003229889.tif 000005
【図４】
0003229889.tif 000006
【図５】
0003229889.tif 000007
【図６】
0003229889.tif 000008